(57)【特許請求の範囲】
【請求項１】
ユーザの要求によりインターネットを介して再生側の第１のレコーダに置かれた第１の媒体に一旦記録された符号情報を所定のシリアルインタフェースフォーマットに変換して所定のシリアルインタフェースを介して記録側の第２のレコーダに伝送し、前記記録側の第２のレコーダに置かれる第２の媒体に記録する場合の符号情報の不法コピーを防止する方法であって、
前記所定のシリアルインタフェースを介して前記再生側の第１のレコーダから前記記録側の第２のレコーダに暗証番号を送信するステップと、
前記記録側の第２のレコーダが前記再生側の第１のレコーダから送られてくる前記暗証番号をチェックするステップと、
前記チェックした結果が真正な場合に前記符号情報と前記符号情報の著作権データであってコピー可能数又はコピー可能期間を含む著作権データとを前記第１の媒体から再生して所定のシリアルインタフェースフォーマットに変換して前記所定のシリアルインタフェースを介して前記記録側の第２のレコーダに送信するように要求すると共に、前記コピー可能数又はコピー可能期間のコピー許可条件に合致した場合に前記要求によって送られてくる符号情報と著作権データを前記第２の媒体に記録するステップと、
前記チェックした結果が真正でない場合に前記再生側の第１のレコーダに置かれた媒体に記録されている符号情報と著作権データを前記記録側の第２のレコーダに送信するように要求しないステップとを、
有する符号情報の不法コピー防止方法。
【請求項２】
ユーザの要求によりインターネットを介して再生側の第１のレコーダに置かれた第１の媒体に一旦記録された符号情報を所定のシリアルインタフェースフォーマットに変換して所定のシリアルインタフェースを介して記録側の第２のレコーダに伝送し、前記記録側の第２のレコーダに置かれる第２の媒体に記録し、前記第２の媒体に一旦記録された符合情報を前記所定のシリアルインタフェースフォーマットに変換して前記所定のシリアルインタフェースを介して前記再生側の第１のレコーダに伝送し、前記再生側の第１のレコーダに置かれる第１の媒体に記録する場合の符号情報の不法コピーを防止する方法であって、
前記所定のシリアルインタフェースを介して前記再生側の第１のレコーダから前記記録側の第２のレコーダに暗証番号を送信するステップと、
前記記録側の第２のレコーダが前記再生側の第１のレコーダから送られてくる前記暗証番号をチェックするステップと、
前記チェックした結果が真正な場合に前記符号情報と前記符号情報の著作権データであってコピー可能数又はコピー可能期間を含む著作権データとを前記第２の媒体から再生して所定のシリアルインタフェースフォーマットに変換して前記所定のシリアルインタフェースを介して前記再生側の第１のレコーダに送信するように要求すると共に、前記コピー可能数又はコピー可能期間のコピー許可条件に合致した場合に前記要求によって送られてくる符号情報と著作権データを前記第１の媒体に記録するステップと、
前記チェックした結果が真正でない場合に前記記録側の第２のレコーダに置かれた媒体に記録されている符号情報と著作権データを前記再生側の第１のレコーダに送信するように要求しないステップとを、
有する符号情報の不法コピー防止方法。
【請求項３】
請求項１に記載の符号情報の不法コピーを防止する方法で用いられる第２のレコーダであって、
前記所定のシリアルインタフェースを介して前記再生側の第１のレコーダから送られてくる前記暗証番号をチェックする手段と、
前記チェックした結果が真正な場合に前記符号情報と前記符号情報の著作権データであってコピー可能数又はコピー可能期間を含む著作権データとを前記第１の媒体から再生して所定のシリアルインタフェースフォーマットに変換して前記所定のシリアルインタフェースを介して前記記録側の第２のレコーダに送信するように要求すると共に、前記コピー可能数又はコピー可能期間のコピー許可条件に合致した場合に前記要求によって送られてくる符号情報と著作権データを前記第２の媒体に記録する手段と、
前記チェックした結果が真正でない場合に前記再生側の第１のレコーダに置かれた媒体に記録されている符号情報と著作権データを前記記録側の第２のレコーダに送信するように要求しない手段とを、
有する第２のレコーダ。
【発明の詳細な説明】
【０００１】
【発明の属する技術分野】
本発明は、例えば音声信号のようなアナログ情報をあるサンプリング周波数でアナログ−デジタル（Ａ／Ｄ）変換して記録媒体に記録したり、伝送媒体を介して伝送する場合に、不法な再生やコピーなどによりデジタルデータの著作権が適切に保護されない事態が生じることを防止するための不法コピー防止方法及びレコーダに関する。
【０００２】
【従来の技術】
オーディオ再生用光ディスクとしてのＣＤ（コンパクトディスク）が市場に出てから１０数年が経過し、既にオーディオ情報の記録媒体としては従来のカセットテープを凌駕してめざましい普及を見せている。そして、デジタルディスクであるＣＤの物理・論理フォーマットは、８ビット固定データ長シンボルのＥＦＭ変調記録方式やサブコード、オーディオデータ、ＣＲＣなどのデータフォーマット方式として確立しており、各種のアプリケーション機能を付加したＣＤプレーヤが開発されている。
【０００３】
また、ＣＤはそのサブコードにおけるＱチャンネルのコントロールビット（４ビット）で識別させることによって、あるいはＴＯＣの不在で識別させることにより、データ用のＣＤ−ＲＯＭとしても利用されており、デジタルディスクの大容量性や高速アクセス性を有効に利用して電子出版の分野でその応用を拡大しつつある。ところで、上記のＣＤ−ＲＯＭでは音声がＡＤＰＣＭにより圧縮されており、その圧縮により原音質が再現できず、よりハイファイ性の高い記録が望まれるようになってきている。換言すれば、圧縮しても通常のＣＤの２倍の帯域に匹敵するオーディオ信号を記録できるディスクの出現が期待されている。
【０００４】
ここで、このような高品質のハイファイ信号はデジタル情報の状態でコピーされると、劣化がないためユーザにとっては都合がよいが、著作権の保護の観点から望ましくないという問題点があるので、このような問題点を解決する方法としては、デジタル情報のコピー回数を制限したり、デジタル出力端子を機器に全く設けない方法などが提案されている。また、コピーを管理する方法としては、デジタルデータに対して著作権データを埋め込む方法が例えば、特表平７−５０５９８７号公報に示されている。
【０００５】
【発明が解決しようとする課題】
ところで、不法に又は適法に媒体に記録されている高品質のハイファイ信号などのデータを不法に（著作権料を支払うことなく）再生し、回線を介してユーザ側の受信装置に伝送する、いわゆる海賊放送のような不法行為が考えられる。また、このように不法に又は適法に（著作権料を支払って）再生、送信されたデータを受信して他の媒体に不法にコピーする受信・記録装置が考えられる。更に、不法に又は適法に再生、送信されたデータを受信して一時蓄積し、これを受信・記録装置に送信するサーバなどが考えられる。また、再生装置と記録装置又は２台の記録再生装置を用いて不法にコピーすることが考えられる。
【０００６】
そこで、本発明は、媒体に記録されている高品質のデータを不法に再生してユーザ側の受信装置に転送したり、不法に再生、転送された高品質のデータを不法に受信して記録するような不法行為を防止することができる不法コピー防止方法及びレコーダを提供することを目的とする。
【０００７】
【課題を解決するための手段】
本発明は上記目的を達成するために、１）〜３）に記載の手段よりなる。
すなわち、
１）ユーザの要求によりインターネットを介して再生側の第１のレコーダに置かれた第１の媒体に一旦記録された符号情報を所定のシリアルインタフェースフォーマットに変換して所定のシリアルインタフェースを介して記録側の第２のレコーダに伝送し、前記記録側の第２のレコーダに置かれる第２の媒体に記録する場合の符号情報の不法コピーを防止する方法であって、
前記所定のシリアルインタフェースを介して前記再生側の第１のレコーダから前記記録側の第２のレコーダに暗証番号を送信するステップと、
前記記録側の第２のレコーダが前記再生側の第１のレコーダから送られてくる前記暗証番号をチェックするステップと、
前記チェックした結果が真正な場合に前記符号情報と前記符号情報の著作権データであってコピー可能数又はコピー可能期間を含む著作権データとを前記第１の媒体から再生して所定のシリアルインタフェースフォーマットに変換して前記所定のシリアルインタフェースを介して前記記録側の第２のレコーダに送信するように要求すると共に、前記コピー可能数又はコピー可能期間のコピー許可条件に合致した場合に前記要求によって送られてくる符号情報と著作権データを前記第２の媒体に記録するステップと、
前記チェックした結果が真正でない場合に前記再生側の第１のレコーダに置かれた媒体に記録されている符号情報と著作権データを前記記録側の第２のレコーダに送信するように要求しないステップとを、
有する符号情報の不法コピー防止方法。
２）ユーザの要求によりインターネットを介して再生側の第１のレコーダに置かれた第１の媒体に一旦記録された符号情報を所定のシリアルインタフェースフォーマットに変換して所定のシリアルインタフェースを介して記録側の第２のレコーダに伝送し、前記記録側の第２のレコーダに置かれる第２の媒体に記録し、前記第２の媒体に一旦記録された符合情報を前記所定のシリアルインタフェースフォーマットに変換して前記所定のシリアルインタフェースを介して前記再生側の第１のレコーダに伝送し、前記再生側の第１のレコーダに置かれる第１の媒体に記録する場合の符号情報の不法コピーを防止する方法であって、
前記所定のシリアルインタフェースを介して前記再生側の第１のレコーダから前記記録側の第２のレコーダに暗証番号を送信するステップと、
前記記録側の第２のレコーダが前記再生側の第１のレコーダから送られてくる前記暗証番号をチェックするステップと、
前記チェックした結果が真正な場合に前記符号情報と前記符号情報の著作権データであってコピー可能数又はコピー可能期間を含む著作権データとを前記第２の媒体から再生して所定のシリアルインタフェースフォーマットに変換して前記所定のシリアルインタフェースを介して前記再生側の第１のレコーダに送信するように要求すると共に、前記コピー可能数又はコピー可能期間のコピー許可条件に合致した場合に前記要求によって送られてくる符号情報と著作権データを前記第１の媒体に記録するステップと、
前記チェックした結果が真正でない場合に前記記録側の第２のレコーダに置かれた媒体に記録されている符号情報と著作権データを前記再生側の第１のレコーダに送信するように要求しないステップとを、
有する符号情報の不法コピー防止方法。
３）請求項１に記載の符号情報の不法コピーを防止する方法で用いられる第２のレコーダであって、
前記所定のシリアルインタフェースを介して前記再生側の第１のレコーダから送られてくる前記暗証番号をチェックする手段と、
前記チェックした結果が真正な場合に前記符号情報と前記符号情報の著作権データであってコピー可能数又はコピー可能期間を含む著作権データとを前記第１の媒体から再生して所定のシリアルインタフェースフォーマットに変換して前記所定のシリアルインタフェースを介して前記記録側の第２のレコーダに送信するように要求すると共に、前記コピー可能数又はコピー可能期間のコピー許可条件に合致した場合に前記要求によって送られてくる符号情報と著作権データを前記第２の媒体に記録する手段と、
前記チェックした結果が真正でない場合に前記再生側の第１のレコーダに置かれた媒体に記録されている符号情報と著作権データを前記記録側の第２のレコーダに送信するように要求しない手段とを、
有する第２のレコーダ。
【０００８】
【発明の実施の形態】
以下、図面を参照して本発明の実施の形態を説明する。図１は本発明の第1の参考例に係る不法行為防止方法及び不法行為防止装置のブロック図、図２は図１中のエンコーダを示すブロック図、図３は図２中の信号処理回路を詳しく示すブロック図、図４は図２のＡ／Ｄコンバータのサンプリング周期及びデータ列を示す説明図、図５はディスク上のバースト・カッティング・エリアを示す説明図、図６は図５のバースト・カッティング・エリアに記録されるデータを示す説明図、図７は図１中のデコーダを示すブロック図、図８は図７中の信号処理回路を詳しく示すブロック図、図９は図７のデコーダによりデコードされたデータ列及びサンプリング周期を示す説明図、図１０は第1の参考例の不法行為防止処理を説明するためのフローチャートである。
【０００９】
図１において、エンコーダＥＮＣ１は合法的に著作権者のアナログ情報をＡ／Ｄ変換して符号化し、このエンコーダＥＮＣ１により符号化された情報は、通常では有料で記録媒体４０１や伝送路４０２などの適法な第１の媒体を介してユーザに供給される。なお、本明細書では記録媒体や伝送路を介しての符号情報の供給を媒体を介しての符号情報の伝送として表現している。図１は再生／送信側が再生器１８０と変換器２００ａを保有することにより第１の媒体４０１、４０２を介して伝送された符号情報を再生してＩＥＥＥ１３９４インタフェースを介して送信し、また、受信／記録側が記録装置（又は記録再生装置）４００と変換器２００ｂを保有することにより再生／送信側から送信された符号情報を受信して第２の媒体に記録する場合を示している。再生器１８０は図７〜図９に詳しく示すようなデコーダＤＥＣ１と表示部１８０ａなどを有し、また、記録装置（又は記録再生装置）４００は表示部４００ａを有する。
【００１０】
再生／送信側の再生器１８０は、受信／記録側からの再生／送信許可信号が入力される端子４９と、デコーダＤＥＣ１により復号されていない状態のビットストリームを出力する端子５２と、デコーダＤＥＣ１によりビットストリームから復号されたＰＣＭデジタル信号を出力する端子９０と、受信／記録側に対して暗証番号を出力するための端子１２６を有する。これらの端子４９、５２、９０、１２６は変換器２００ａに接続され、端子５２、９０を介して出力されたデジタル信号が変換器２００ａによりＩＥＥＥ１３９４規格のＤＳリンクと呼ばれる符号化方式のシリアルバスデータに変換される。なお、このデータサイズは５１２バイトのパケット形式である。
【００１１】
このＩＥＥＥ１３９４規格のデータは、データレコーダであるＤＶＣ（デジタルビデオカムコーダー）などの記録装置（又は記録再生装置）４００のインタフェースを構成する変換器２００ｂにより元に戻され、装置４００によりコピー媒体に記録（コピー）される。この場合、装置４００は再生器１８０から送られてくる暗証番号をチェックし、真正な場合には再生／送信許可信号を返信し、再生器１８０から送られてくるビットストリームを記録する機能を有する。なお、装置４００が記録専用装置である場合にはコピー媒体を他の再生器により再生することができ、また、記録再生装置である場合には当然に装置４００により再生することができる。さらに、２台の記録再生装置４００により更に他の媒体に再コピーすることができる。
【００１２】
次に、図２〜図９を参照してエンコーダＥＮＣ１とデコーダＤＥＣ１の構成を詳細に説明する。図２に示す入力端子ＩＮには例えば音声信号のようなアナログ信号が入力され、この入力信号はＡ／Ｄコンバータ３１により、無制限なデジタルコピーを禁止するのに値する十分高いサンプリング周波数（図４に示すサンプリング周期Δｔ）、例えば１９２ｋＨｚでサンプリングされて、例えば２４ビットの高分解能のＰＣＭ信号に変換され、図４に示すように曲線αに対応するデータ列
ｘb1，ｘ1 ，ｘa1，ｘ2，ｘb2，ｘ3，ｘa2，・・・，ｘbi，ｘ2i-1，ｘai，ｘ2i，・・・
に変換される。
【００１３】
このデータ列（ｘbi，ｘ2i-1，ｘai，ｘ2i）は図３に詳しく示す信号処理回路３２及びメモリ３３によりエンコードされ、次いでＤＶＤ符号化回路３４によりパッキングされる。このパッキングデータは出力端子ＯＵＴ１に出力されるか、又は媒体に応じた変調方式で変調回路３５により変調されて出力端子ＯＵＴ２に出力される。また、出力端子ＯＵＴ３からは必要に応じて著作権データが出力される。
【００１４】
図３を参照して信号処理回路３２の構成を詳しく説明する。まず、１／２の帯域を通過させるローパスフィルタ３６、例えばＦＩＲフィルタにより、図４に示す曲線αに対応するデータ列（ｘbi，ｘ2i-1，ｘai，ｘ2i）から、帯域制限された曲線βに対応するデータ列
ｘc1，＊，＊，＊，ｘc2，＊，＊，＊，ｘc3，＊，＊，＊，・・・，ｘci，＊，＊，＊，・・・
を得、次にこのデータ列の内、データ「＊」を間引き回路３７により間引くことによりデータ列
ｘc1，ｘc2，ｘc3，・・・，ｘci，・・・
を生成する。また、データ列（ｘbi，ｘ2i-1，ｘai，ｘ2i）の内、データｘi を間引き回路３８により間引くことによりデータ列
ｘb1，ｘa1，ｘb2，ｘa2，・・・，ｘbi，ｘai，・・・
を生成する。
【００１５】
そして、これらのデータ列ｘci、ｘbi、ｘaiに基づいて、差分計算器として作用する加算器３９により差分
ｘbi−ｘci＝Δ1i
ｘai−ｘci＝Δ2i
を演算する。ここで、差分データΔ1i、Δ2iは例えば２４ビット又はそれ以下であり、また、ビット数は固定でも可変でもよい。アロケーション回路４０はデータ列ｘci及び差分データΔ1i、Δ2iと、著作権データ供給部１００からの著作権データをユーザデータとしてパッキングし、そのユーザデータを出力することにより記録媒体、例えばＤＶＤ（デジタル・ビデオ・ディスク又はデジタル・バーサタイル・ディスク）に記録されたり、伝送路に伝送される。ここで、データ列ｘciはＡ／Ｄコンバータ３１によりＡ／Ｄ変換されたデジタルデータの帯域制限してサンプリング周波数を１／４に低減したデータ列となっている。
【００１６】
著作権データはまた、例えば図５に示すようにＤＶＤのバースト・カッティング・エリア（ＢＣＡ）に記録され、一例として、
・ＩＳＲＣ｛楽曲（プログラムソース）を示す国際標準レコーディングコード：International Standard Recording Code ｝
・著作権を識別するために複製状態を管理するための情報であるディスクのシリアルナンバ（１６バイト）
・プレーヤ識別子コード（４バイト）
・録音日（３バイト）
・録音数（３バイト）
・複製された数（４バイト）及び
・著作権状態を管理するための複製可能数（３バイト）
などにより構成される。
【００１７】
そして、ＢＣＡに記録する場合には、著作権データは図６に示すようにＰＥ−ＲＺ信号に変換され、バーコードのような低反射率ストリップの形式で記録される。また、ＤＶＤにはＢＣＡとは別に、ＣＤＲディスクなどで規定されているＴＯＣエリアに相当するようにディスクの内周に設けられる著作権管理情報エリア（ＣＭＩエリア）に、これらの著作権データが更に詳しく記録される。
【００１８】
次に、図７〜図９を参照して再生器１８０内のデコーダＤＥＣ１について説明する。媒体を介して伝送された入力信号はまず、エンコーダＥＮＣ１側の変調回路３５の変調方式に応じて復調回路４１により復調され、次いでＤＶＤ復号回路４２により復号され、復号データ（データ列ｘciと差分データΔ1i、Δ2i）が図８に詳しく示す信号処理回路４３（及びメモリ４４）と著作権データ書き換え部３０に印加されるとともに、著作権データが信号処理回路４３と暗号解読部５０に印加される。信号処理回路４３では図８に示すように、まず、加算器４６により
Δ1i＋ｘci＝ｘbi
Δ2i＋ｘci＝ｘai
が演算され、データ列ｘbi、ｘaiが復元される。ここで、データ列ｘbi、ｘaiは元の２４ビットである。
【００１９】
次いで補間処理回路４７ではデータ列ｘbi、ｘaiの複数のデータを用いて図９に示すようにその間のデータ列ｘi が補間される。なお、補間処理回路４７では、例えばアップサンプリング方法を用いて、それぞれに０データを埋めてローパスフィルタを通過させることにより、補間データ列ｘi を求めることができる。補間データ列ｘi はまた、曲線近似や予測近似により求めるようにしてもよい。この場合、近似補助データを追加して伝送するようにすることで近似度を高めることができる。
【００２０】
このように補間処理されたデータは、
ｘb1，ｘ1 ，ｘa1，ｘ2 ，ｘb2，ｘ3 ，ｘa2，・・・，ｘbi，ｘ2i-1，ｘai，ｘ2i，・・・
のようなＰＣＭデータに配列され、デジタル出力端子９０と、レベル制御部１１８に印加されるとともに、遅延器１２３を介して加算器１２１に印加される。
【００２１】
また、ＦＭ変調器１１４では、ＢＣＡから再生された著作権データが発振器１１５からの例えば５ｋＨｚの周波数により変調される。次いでこの変調された信号は、Ｄ／Ａ変換されても聞き取れないように拡散変調器１１６により拡散符号１１７を用いて、その周波数スペクトラムが広く拡散されて低レベルにされ、さらに、レベル制御部１１８ではデータ列（ｘbi，ｘ2i-1，ｘai，ｘ2i）のレベルに応じてそのレベルが制御される。あるいはレベル制御部１１８ではデータ列（ｘbi，ｘ2i-1，ｘai，ｘ2i）の周波数スペクトラムレベルに応じてその周波数スペクトラムレベルが制御される。
【００２２】
そして、加算器１２１ではデータ列（ｘbi，ｘ2i-1，ｘai，ｘ2i）に対して、ＦＭ変調器１１４、発振器１１５、拡散変調器１１６、拡散符号１１７及びレベル制御部１１８により変調された著作権データが埋め込まれ、この加算器１２１の出力信号が図７に示すＤ／Ａコンバータ４５と、ＬＰＦ（ローパスフィルタ）５６に印加される。
【００２３】
Ｄ／Ａコンバータ４５では、エンコーダ側で２４ビットの量子化ビット数でＡ／Ｄ変換され、エンコードされて記録媒体に記録され、デコーダ側の信号処理回路４３により著作権データが埋め込まれたデータ列（ｘbi，ｘ2i-1，ｘai，ｘ2i）が１９２ｋＨｚのサンプリング周波数でアナログ信号に変換されてアナログ出力端子５５を介して出力される。また、ＬＰＦ５６ではこの入力データが例えば１／４の帯域（４８ｋＨｚ）に制限され、デジタルデータとして出力端子５３を介して出力される。
【００２４】
また、この参考例では、媒体を介して伝送されたビットストリーム（データ列ｘciと差分データΔ1i、Δ2i）は、そのままの状態で著作権データ書き換え部３０、スイッチ５１及びビットストリーム出力端子５２を介して出力可能である。また、ＣＰＵ５０Ｂの制御に基づいて暗証番号を発生して出力端子１２６を介して出力する暗証番号発生部１２５と、受信／記録側からの再生／送信許可信号が入力される端子４９と、この端子４９を介して入力された再生／送信許可信号とＢＣＡ内の著作権データに基づいてスイッチ５１をオンにするとともに著作権データ書き換え部３０を制御する暗号解読部５０が設けられている。
【００２５】
暗号解読部５０は再生／送信許可信号が入力されると、例えば著作権データの内のコピー許可条件、例えば「支払い条件」をチェックし、ＯＫの場合にはスイッチ５１をオンにすることによりビットストリームの出力を許可する。また、他のコピー許可条件として例えば「録音可能数」をチェックし、「０」でない場合にはビットストリーム内の録音可能数を１つデクリメントするように著作権データ書き換え部３０を制御するとともに、スイッチ５１をオンにすることにより出力を許可し、他方、「０」であればスイッチ５１をオンにしないで出力を禁止することにより、無制限なビットストリームのコピーを禁止する。なお、コピー許可条件としては「録音可能数」の他、「コピー可能期間」を媒体を介して伝送するとともに、暗号解読部５０内に時計機能を設けて暗証番号が入力された時間が「コピー可能期間」外であればコピーを禁止するようにしてもよい。
【００２６】
次に、図１０（ａ）は再生器１８０（再生／送信側）の処理を示し、図１０（ｂ）は記録装置又は記録再生装置（データレコーダ）４００（受信／記録側）の処理を示している。図１０（ａ）に示すように、再生／送信側１８０はまず、暗証番号発生部１２５により暗証番号を発行し、これをＩＥＥＥ１３９４シリアルバスを介して受信／記録側４００に出力する（ステップＳ１１）。次いで、再生／送信許可信号を受信するためにカウンタをスタートして所定時間待機し（ステップＳ１３、Ｓ１４）、再生／送信許可信号が入力された場合には再生／送信を行い（ステップＳ１２→Ｓ１５）、他方、所定時間内に再生／送信許可信号が入力されない場合には「再生不許可」の旨を表示部１８０ａに表示する（ステップＳ１６）。
【００２７】
また、受信／記録側４００は図１０（ｂ）に示すように、再生／送信側１８０から暗証番号が送られてくるとこれをチェックし（ステップＳ２１）、真正な場合には再生／送信許可信号を再生／送信側１８０に返信し（ステップＳ２２）、次いで再生／送信側１８０から送られてくるビットストリーム（データ列ｘciと差分データΔ1i、Δ2i）を受信して媒体に記録する（ステップＳ２３）。他方、ステップＳ２１において暗証番号が真正でない場合には「記録不許可」の旨を表示部４００ａに表示する（ステップＳ２４）。
【００２８】
したがって、再生／送信側１８０が不適法な場合には、暗証番号を受信／記録側４００に送信することができないので、受信／記録側４００からの再生／送信許可信号を受信することができず、その結果、再生／送信を行うことができないので、再生／送信側１８０による不法行為を防止することができる。なお、再生／送信側１８０が暗証番号と共に著作権データ内の例えばＩＳＲＣを送信し、受信／記録側４００が暗証番号をチェックし、真正な場合にＩＳＲＣをチェックし、真正な場合に再生／送信許可信号を返信するようにしてもよい。
【００２９】
次に、図１１を参照して第２の参考例について説明する。図１１（ａ）は図１に示す媒体４０１に記録されているデータを再生して通信回線４０３を介して送信する再生送信装置を示し、図１１（ｂ）は図１１（ａ）に示す再生送信装置から送信されたデータを受信して記録する受信記録装置を示している。図１１（ｂ）に示す受信記録装置はユーザが保有し、図１１（ａ）に示す再生送信装置はユーザに対してデータを供給する側が保有する。なお、このようなシステムとしては例えば通信カラオケやインターネットをあげることができる。
【００３０】
図１１（ａ）に示す再生送信装置では、複数の再生器１８０−１〜１８０−ｎにより複数の媒体４０１の各々からデータが再生され、各再生データは変換器２００−１〜２００−ｎによりＩＥＥＥ１３９４規格のシリアルバスデータに変換されて送信端末５００に送られる。送信端末５００はパーソナルコンピュータ（パソコン）５０１と変換器５０２を有し、変換器５０２では変換器２００−１〜２００−ｎから送られてきたＩＥＥＥ１３９４規格のシリアルバスデータが元のフォーマットに戻される。
【００３１】
そして、適法なパソコン５０１には第１の参考例の同様な暗証番号発生部１２５が接続されている。したがって、適法なパソコン５０１はユーザ側の再生送信装置に対して適法な暗証番号（及び著作権データ）を送ることができ、送った暗証番号（及び著作権データ）に対してユーザ側の再生送信装置から再生／送信許可信号を受信した場合に媒体４０１の再生を行って送信することができる。パソコン５０１はまた、図７に示す暗号解読部５０と同等の機能を有し、通信回線４０３を介して暗証番号（及び著作権データ）を図１１（ｂ）に示す受信記録装置に送った後、再生／送信許可信号が返信された場合に例えば著作権データの内のコピー許可条件をチェックし、ＯＫの場合にビットストリームの出力を開始する。
【００３２】
図１１（ｂ）に示す受信記録装置は、図１に示す変換器２００ｂ及び記録装置又は記録再生装置（データレコーダ）４００の他に端末６００と、サーバ９００と変換器２００ｃを有し、端末６００はパソコン６０１と変換器６０２を有する。パソコン６０１は図１１（ａ）に示すパソコン５０１から暗証番号（及び著作権データ）を受信した場合に真正か否かをチェックし、真正な場合に再生／送信許可信号を返信し、再生／送信許可信号に応答して送られてきたビットストリーム（データ列ｘciと差分データΔ1i、Δ2i）を受信する。そして、送られてきたデータは変換器６０２によりＩＥＥＥ１３９４規格のシリアルバスデータに変換されて変換器２００ｂに送られ、変換器２００ｂにより元のフォーマットに戻され、データレコーダ４００により記録される。
【００３３】
また、この参考例では、送られてきたデータは変換器２００ｃを介してサーバ９００に転送されて一時蓄積された後、変換器２００ｃ、２００ｂを介してデータレコーダ４００に転送されることを想定している。この場合、サーバ９００はパソコン６０１の代わりに、パソコン５０１から暗証番号（及び著作権データ）を受信した場合に真正か否かをチェックし、真正な場合に再生／送信許可信号を返信し、再生／送信許可信号に応答して送られてきたビットストリーム（データ列ｘciと差分データΔ1i、Δ2i）を受信して一時蓄積し、これをデータレコーダ４００に転送する。
【００３４】
図１２及び図１３はそれぞれ、上記第１、第２の参考例の変形例を実現するエンコーダ及びデコーダの各信号処理回路を示している。図１２に示すエンコーダでは図３に示す間引き回路３８が省略され、データｘi は間引かれない。そして、差分計算器として作用する加算器３９により差分
ｘbi−ｘci＝Δ1i
ｘai−ｘci＝Δ2i
ｘi −ｘci＝Δ3i
が演算され、データ列（ｘci，Δ1i，Δ2i，Δ3i）及び著作権データがアロケーション回路４０によりパッキングされて伝送される。
【００３５】
図１３に示すデコーダでは、上記のようにエンコーダ側でデータ列ｘi が間引かれていないので、補間処理回路４７が省略されている。そして、加算器４６では
ｘci＋Δ1i＝ｘbi
ｘci＋Δ2i＝ｘai
ｘci＋Δ3i＝ｘi
を演算することにより、元の高品質のデータ列（ｘbi，ｘ2i-1，ｘai，ｘ2i）を復元する。他の構成はエンコーダ、デコーダともに図２、図８と同一であるので説明を省略する。
【００３６】
次に、本発明の実施形態について説明する。図１４は本発明に係る不法コピー防止方法及びその方法を実現したレコーダの実施形態を説明するためのブロック図、図１５は図１４中の変換器を詳細に示すブロック図、図１６は図１４中のエンコーダを詳細に示すブロック図、図１７は図１６中の２つのＡ／Ｄコンバータのサンプリング周期及びデータ列を示す説明図、図１８は図１６中のパッキングエンコーダによりパッキングされたユーザデータを示す説明図、図１９は図１４中の記録再生装置内のデコーダを示すブロック図、図２０は図１９のデコーダによりデコードされたデータ列及びサンプリング周期を示す説明図、図２１は図１４中の記録再生装置内のエンコーダを詳細に示すブロック図である。
【００３７】
図１４において、著作権者のアナログ情報は合法的にエンコーダＥＮＣ２によりエンコードされ、記録媒体４０１を介してユーザに供給される。ユーザは同一の構成の記録再生装置５００ａ、５００ｂを保有することができ、また、記録再生装置５００ａをコピー元、記録再生装置５００ｂをコピー先として真正なユーザが真正な媒体４０１から後述するように図１５に詳しく示す変換器２００ａ、２００ｂを介して、また、直接に接続してコピーすることができる。
【００３８】
記録再生装置５００ａ、５００ｂとしては例えばＤＶＣ（デジタルビデオカムコーダー）の他、ＶＨＳ（日本ビクター（株）の登録商標）ビデオを基盤とした新ＶＨＳフォーマットをスタンダードモードとして、圧縮などのエンコードされたままのビットストリームを記録可能なＤ−ＶＨＳ−ＶＴＲを用いることができる。この記録再生装置５００ａ、５００ｂは共に図１９に詳しく示すデコーダＤＥＣ２と図２１に詳しく示すエンコーダＥＮＣ２’を有する。
【００３９】
また、記録再生装置５００ａ（又は５００ｂ）をコピー元とし、インターネット端末をコピー先として真正なユーザがコピー元５００ａ、５００ｂにアクセスすることができる。この場合、適正な記録再生装置５００ａ、５００ｂにより再生し、変換器２００ａ、２００ｂ、ＩＥＥＥ１３９４ホストアダプタ６０４及びパソコン本体６０５を有するパソコン６０３を介してインターネット端末に送信することができる。
【００４０】
まず、図１６を参照してエンコーダＥＮＣ２の構成を説明する。入力端子１には例えば音声信号のようなアナログ信号が入力され、この入力信号はＡ／Ｄコンバータ２、３に印加される。Ａ／Ｄコンバータ２、３にはそれぞれ、クロック発生器５から比較的低いサンプリング周波数、例えば４８ｋＨｚのサンプリングクロックｆと、比較的高いサンプリング周波数、例えば９６ｋＨｚのサンプリングクロック２ｆが印加される。
【００４１】
Ａ／Ｄコンバータ２は図１７に示すように４８ｋＨｚのサンプリングクロックｆの周期で入力信号をサンプリングし、
ｘa1，ｘa2，ｘa3，・・・，ｘai，・・・
のような比較的低品質のデジタルデータ列ｘaiに変換する。また、Ａ／Ｄコンバータ３は図１７に示すように９６ｋＨｚのサンプリングクロック２ｆの周期で入力信号をサンプリングし、
（ｘb1，ｘc1），（ｘb2，ｘc2），（ｘb3，ｘc3，）・・・，（ｘbi，ｘci，）・・・
のような比較的高品質のデジタルデータ列（ｘbi，ｘci，）に変換する。
【００４２】
ここで、データ列（ｘbi，ｘci）の内、データ列ｘbiのサンプリング位置は４８ｋＨｚによるデータ列ｘaiと同一であり、また、データ列ｘciのサンプリング位置は４８ｋＨｚによるデータ列ｘaiの中間位置である。なお、このサンプリングデータは例えば２４ビットの分解能で変換される。
【００４３】
Ａ／Ｄコンバータ３によりＡ／Ｄ変換されたデータ列（ｘbi，ｘci）はスイッチ４に印加され、クロック発生器５からの９６ｋＨｚのサンプリングクロック２ｆに基づいてデータ列ｘaiと同一サンプリング位置のデータ列ｘbiのみが選択され、データ列ｘaiの中間サンプリング位置のデータ列ｘciは間引かれる。差分計算器６ではＡ／Ｄコンバータ２によりＡ／Ｄ変換されたサンプリングデータｘaiと、スイッチ４により選択されたサンプリングデータｘbiに基づいて
ｘbi−ｘai＝Δi
が計算される。ここで、差分データΔi は２４ビット又はそれ以下である。
【００４４】
続くパッキングエンコーダ７はＡ／Ｄコンバータ２によりＡ／Ｄ変換されたデータ列ｘaiと、差分計算器６により計算された差分データ列Δi と、著作権データ供給部１００からの著作権データを図１８に示すような配列のユーザデータとしてパッキングし、そのユーザデータを出力端子８を介して出力することにより記録媒体４０１、例えばＤＶＤに記録されたり、伝送媒体に伝送される。また、著作権データ供給部１００からの著作権データはまた、そのまま出力端子ＯＵＴ３を介して出力可能である。
【００４５】
図１８に示す例では１つのユーザデータはサブヘッダと、ｎ個のサンプリングデータｘa1〜ｘanとｎ個の差分データΔ1 〜Δn により構成され、ＤＶＤのようにユーザデータが２０３４バイトの場合にはデータｘa1〜ｘan及び差分データΔ1 〜Δn はともに３３８個（＝ｎ）であり、サブヘッダは６バイトである。なお、ＤＶＤではユーザデータはパケットといい、サブヘッダはパケットヘッダという。
【００４６】
次に、図１９を参照してデコーダＤＥＣ２について説明する。入力端子９を介して入力されたユーザデータはアンパッキングデコーダ１０に印加されるとともに、著作権データ書き換え部３０、スイッチ２１及びデジタル出力端子（ビットストリーム出力端子）２２を介して出力可能である。アンパッキングデコーダ１０ではデータ列ｘaiと差分データ列Δi 、さらに著作権データが分離される。そして、データ列ｘaiは加算器１１とレベル制御部１１８に印加され、さらに遅延器１２２を介して加算器１２０に印加される。また、差分データ列Δi は加算器１１に印加され、また、著作権データは暗号解読部２０とＦＭ変調器１１４に印加される。
【００４７】
加算器１１では
Δi ＋ｘai＝ｘbi
が算出され、このデータ列ｘbiが補間処理回路１２とスイッチ１３に印加される。なお、このデータ列ｘbiの各データのビット数は２４ビットである。補間処理回路１２ではデータ列ｘbiの複数のデータを用いてその間のデータ列ｘciが補間される。例えばアップサンプリング方法を用いて、それぞれに０データを埋めてローパスフィルタを通過させることにより、補間データ列ｘciを求めることができる。続くスイッチ１３ではクロック発生器１４からの９６ｋＨｚのサンプリングクロック２ｆに基づいてデータ列ｘbi、ｘciが交互に選択される。したがって、図１６に示すエンコーダにおいて９６ｋＨｚのサンプリング周波数によりＡ／Ｄ変換されたデータ列（ｘbi、ｘci）に復元され（図２０参照）、このデータ列（ｘbi、ｘci）は遅延器１２３を介して加算器１２１に印加される。
【００４８】
また、ＦＭ変調器１１４では、サブヘッダから再生された著作権データが発振器１１５からの例えば５ｋＨｚの周波数により変調される。次いでこの変調された信号は、Ｄ／Ａ変換されても聞き取れないように拡散変調器１１６により拡散符号１１７を用いて、その周波数スペクトラムが広く拡散されて低レベルにされ、さらに、レベル制御部１１８ではデータ列ｘbiのレベルに応じてそのレベルが制御される。そして、この変調データは加算器１２１に印加されるとともに、間引き回路１１９により１つおきに間引かれて加算器１２０に印加される。あるいはレベル制御部１１８ではデータ列ｘbiの周波数スペクトラムレベルに応じてその周波数スペクトラムレベルが制御される。
【００４９】
遅延器１２２の出力データ列ｘaiはそのままの状態でデジタル出力端子２３を介して出力される。また、加算器１２０では遅延器１２２の出力データ列ｘaiに対して、間引き回路１１９からの変調データが埋め込まれ、このデータ列ｘai’はＤ／Ａコンバータ１５により４８ｋＨｚのサンプリング周波数ｆに基づいてＤ／Ａ変換され、アナログ出力端子１７を介して出力される。
【００５０】
また、遅延器１２３の出力データ列（ｘbi、ｘci）はそのままの状態でデジタル出力端子２４を介して出力される。また、加算器１２１では遅延器１２３の出力データ列（ｘbi、ｘci）に対して、レベル制御部１１８からの変調データが埋め込まれ、このデータ列（ｘbi、ｘci）’はＤ／Ａコンバータ１６により９６ｋＨｚのサンプリング周波数２ｆに基づいてＤ／Ａ変換され、アナログ出力端子１８を介して出力される。
【００５１】
したがって、４８ｋＨｚによりＡ／Ｄ変換され、圧縮して記録媒体に記録されている比較的低品質のデジタルデータｘaiと、９６ｋＨｚによりＡ／Ｄ変換されて記録媒体に記録され、デコードされた比較的高品質のデジタルデータ（ｘbi、ｘci）はそのままでは出力されず、変調データが埋め込まれたデジタルデータｘai’、(ｘbi、ｘci)’として出力される。
【００５２】
また、この実施形態では、媒体を介して伝送されて入力端子９を介して入力されたビットストリームは、そのままの状態で著作権データ書き換え部３０、スイッチ２１及びビットストリーム出力端子２２を介して出力可能であり、また、再生／転送許可信号が入力される端子１９と、この端子１９を介して入力された再生／転送許可信号とアンパッキングデコーダ１０からの著作権データに基づいてスイッチ２１をオンにするとともに著作権データ書き換え部３０を制御する暗号解読部２０が設けられている。
【００５３】
また、この実施形態においても同様に暗証番号発生部１２５を有し、この暗証番号はビットストリームの出力時に出力端子１２６を介してコピー先５００ｂに出力される。さらに、出力端子２３Ｂ、２４ＢからはＰＣＭデータの出力時にそれぞれクロックｆ、２ｆが出力される。
【００５４】
また、記録再生装置５００ａ、５００ｂは共に図２１に詳しくエンコーダＥＮＣ２’を有する。このエンコーダＥＮＣ２’は図１６に示すエンコーダＥＮＣ２と略同一であり、アナログ入力端子１と、デジタル入力端子１Ｆ、２Ｆとクロック入力端子５Ａ、５Ｂを有する。アナログ入力端子１はコピー元５００ａのアナログ出力端子１７、１８や他のマイクロホンやアナログ再生装置からのアナログ信号が入力可能であり、このアナログ信号はＡ／Ｄコンバータ２、３によりＡ／Ｄ変換される。このＡ／Ｄコンバータ２、３によりＡ／Ｄ変換された各データはそれぞれスイッチＳＷ１、ＳＷ２、４を介して差分計算器６及びパッキングエンコーダ７に印加される。
【００５５】
また、デジタル入力端子１Ｆ、２Ｆとクロック入力端子５Ａ、５Ｂは、それぞれコピー元５００ａのデジタル出力端子２３、２４とクロック出力端子２３Ｂ、２４Ｂに接続される。そして、デジタル入力端子１Ｆ、２Ｆを介して入力された各データはそれぞれスイッチＳＷ１、ＳＷ２、４を介して差分計算器６及びパッキングエンコーダ７に印加され、また、クロック入力端子５Ａ、５Ｂを介して入力されたクロックｆ、２ｆはクロック発生器５に印加される。クロック発生器５はこの入力クロックｆ、２ｆにロックするＰＬＬ回路を有し、デジタル入力端子１Ｆ、２Ｆを介して入力された各データを選択するようにスイッチＳＷ１、ＳＷ２を切り替える。
【００５６】
また、このデコーダでは、エンコーダ側の暗証番号発生部１２５からの暗証番号（及び著作権データ）が端子１９’を介して入力され、暗号解読部２０’がこれをチェックして真正な場合に再生／受信許可信号を端子１９’を介してエンコーダ側の暗号解読部２０に送り返すように構成されている。
【００５７】
そして、図１４に示すように記録再生装置５００ａ、５００ｂの端子１９、１９’と、暗証番号出力端子１２６と、ビットストリーム入力端子９とビットストリーム出力端子２２が図１５に詳しく示す変換器２００ａ、２００ｂとＩＥＥＥ１３９４バスラインＢＬを介して接続される。ここで、コピー先５００ｂのビットストリーム入力端子９に入力されたデータは不図示の例えば光ピックアップに送られ、コピー先の媒体に記録される。
【００５８】
変換器２００はＣＰＵ２０６と、物理層処理部２０２と、リンク層処理部２０３と、コントローラ２０４と、バッファメモリ２０５とラッチ２０７〜２１１を有し、ラッチ２０７〜２１１はそれぞれ端子１９、１９’、暗証番号出力端子１２６、ビットストリーム出力端子２２、ビットストリーム入力端子９に接続される。バスラインＢＬ上の暗証番号（及び著作権データ）やビットストリームなどのデータは、物理層処理部２０２、リンク層処理部２０３を介してコントローラ２０４に到達すると、コントローラ２０４及びバッファメモリ２０５により仕分けされ、パラレルデータでラッチ２０７、２０９、２１０に供給される。
【００５９】
このような構成において、例えばコピー元５００ａの再生ボタンとコピー先５００ｂの録音ボタンが押されると、コピー元５００ａの暗証番号発生部１２５が暗証番号を発行するとともに暗号解読部２０がアンパッキングデコーダ１０から著作権データを取り込み、この暗証番号がＩＥＥＥ１３９４バスラインＢＬを介してコピー先５００ｂの暗号解読部２０’に送られる。
【００６０】
コピー先５００ｂの暗号解読部２０’では暗証番号が入力されると認証のチェックを受けそれが真正なものと認証された場合に更に著作権データが真正なものか否かをチェックする。この場合、例えばメーカーとプレーヤ（プレーヤ識別子コード）がレコード協会に正規に登録されたものでなければ真正なものとみなさないようにしてもよい。そして、コピー先５００ｂの暗号解読部２０’は暗証番号と著作権データの両方が真正なものと判断した場合に、例えば更に著作権データの内のコピー許可条件、例えば「支払い条件」をチェックし、ＯＫの場合にコピー元５００ａの暗号解読部２０に対して再生転送許可信号を送る。コピー元５００ａの暗号解読部２０はこの再生転送許可信号を受信すると、スイッチ２１をオンにすることによりビットストリームの出力を行う。コピー先５００ｂでは再生転送許可信号を出力すると、続いて入力されるビットストリームの録音を行う。
【００６１】
また、他のコピー許可条件として、例えば「録音可能数」をチェックし、「０」でない場合にはビットストリーム内の録音可能数を１つデクリメントするように著作権データ書き換え部３０を制御するとともに、スイッチ２１をオンにすることにより出力を許可し、他方、「０」であればスイッチ２１をオンにしないで出力を禁止することにより、無制限なビットストリームのコピーを禁止する。なお、コピー許可条件としては「録音可能数」の他、「コピー可能期間」を媒体を介して伝送するとともに、暗号解読部２０内に時計機能を設けて暗証番号が入力された時間が「コピー可能期間」外であればコピーを禁止するようにしてもよい。
【００６２】
したがって、この実施形態によれば、コピー先５００ｂがコピー元５００ａ側からの暗証番号と著作権データをチェックし、真正でない場合には再生転送許可信号をコピー元５００ａに出力しないので、真正なユーザ以外による不法なコピーを防止することができ、また、真正なユーザであってもコピー元の媒体が真正でない場合の不法なコピー（コピーのコピー）を防止することができる。
【００６３】
次に、第３の参考例について説明する。この参考例は、前述の実施形態と異なる点についてのみ説明する。図１４において、コピー元５００ａの再生ボタンが押されるとＩＥＥＥ１３９４バスラインＢＬを介してインターネット端末に対して暗証番号（及び著作権データ）が送信される。そしてインターネット端末はこの暗証番号（及び著作権データ）をチェックして真正な場合に再生／送信許可信号を送り返し、コピー元５００ａは再生／送信許可信号を受け取ると再生を行って再生データをインターネット端末に送信する。
【００６４】
ここで、上記実施形態及び参考例ではいずれも、エンコードされて媒体を介して伝送された状態のビットストリームをコピーする場合に暗証番号、著作権データをチェックするようにしたが、ＰＣＭデータの段階までデコードされたデジタル出力端子２４の高品質のデータをコピーする場合にチェックするようにしてもよい。この場合、コピー先の記録再生装置５００ｂは例えばＤＡＴ（デジタルオーディオテープ）レコーダを用いてＰＣＭデータを記録することができる。また、伝送インタフェースとしてＩＥＥＥ１３９４シリアルバスの代わりに、データ転送速度が異なるがほぼ同一のＵＳＢ（Ｕｎｉｖｅｒｓａｌ  Ｓｅｒｉａｌ  Ｂｕｓ）を用いてもよく、あるいはまた、ＩＥＣ９５８（ＡＥＳ／ＥＢＵ）シリアルバスを対に用いて双方向にやりとりするようにしてもよい。
【００６５】
【発明の効果】
以上説明したように本発明によれば、送信側から記録装置や通信端末である受信側に対して暗証番号を送信し、受信側が送信側から送られてきた暗証番号をチェックし、真正な場合に送信側に対して符号情報を媒体から再生して送信するように要求し、送信側がこの要求に応答して符号情報を媒体から再生して受信側に送信するようにしたので、媒体に記録されている高品質のデータを不法に再生してユーザ側の受信装置に転送したり、不法に再生、転送された高品質のデータを不法に受信して記録するような不法行為を防止することができる。
【００６６】
また、本発明によれば、あらかじめ適法な媒体に符号情報に関する著作権データを記憶し、送信側から記録装置や通信端末である受信側に対して暗証番号と、媒体に記録されている符号情報に関する著作権データを送信し、受信側が送信側から送られてくる暗証番号をチェックし、真正な場合に著作権データをチェックし、真正な場合に送信側に対して符号情報を媒体から再生して送信するように要求し、送信側がこの要求に応答して符号情報を媒体から再生して受信側に送信するようにしたので、不法に又は適法に媒体に記録されている高品質のデータを不法に再生してユーザ側の受信装置に転送したり、不法に再生、転送された高品質のデータを不法に受信して記録するような不法行為を防止することができる。
【図面の簡単な説明】
【図１】本発明の第１の参考例に係る不法行為防止方法及び不法行為防止装置のブロック図である。
【図２】図１中のエンコーダを示すブロック図である。
【図３】図２中の信号処理回路を詳しく示すブロック図である。
【図４】図２中のＡ／Ｄコンバータのサンプリング周期及びデータ列を示す説明図である。
【図５】ディスク上のバースト・カッティング・エリアを示す説明図である。
【図６】図５のバースト・カッティング・エリアに記録されるデータを示す説明図である。
【図７】図１中のデコーダを示すブロック図である。
【図８】図７中の信号処理回路を詳しく示すブロック図である。
【図９】図７のデコーダによりデコードされたデータ列及びサンプリング周期を示す説明図である。
【図１０】第１の参考例の不法行為防止処理を説明するためのフローチャートである。
【図１１】本発明の第２の参考例に係る不法行為防止方法及び不法行為防止装置のブロック図である。
【図１２】図３の信号処理回路の変形例を示すブロック図である。
【図１３】図８の信号処理回路の変形例を示すブロック図である。
【図１４】本発明に係る不法コピー防止方法、コピー元レコーダ及びコピー先レコーダの実施形態を説明するためのブロック図である。
【図１５】図１４中の変換器を詳細に示すブロック図である。
【図１６】図１４中のエンコーダを詳細に示すブロック図である。
【図１７】図１６中の２つのＡ／Ｄコンバータのサンプリング周期及びデータ列を示す説明図である。
【図１８】図１６中のパッキングエンコーダによりパッキングされたユーザデータを示す説明図である。
【図１９】図１４中の記録再生装置内のデコーダを示すブロック図である。
【図２０】図１９のデコーダによりデコードされたデータ列及びサンプリング周期を示す説明図である。
【図２１】図１４中の記録再生装置内のエンコーダを詳細に示すブロック図である。
【符号の説明】
５０  暗号解読部
５２  ビットストリーム出力端子
９０  デジタル出力端子
１２５  暗証番号発生部
１８０  再生器（送信側）
２００、２００ａ、２００ｂ、５０２、６０２  変換器
４００  記録装置（受信側）
４００ａ  表示部
４０１  記録媒体
４０２  伝送路
４０３  通信回線
５００  送信端末（送信側）
５００ａ  記録再生装置（送信側）
５００ｂ  記録再生装置（受信側）
５０１、６０１、６０３  パソコン
６００  端末（受信側）
６０４  ＩＥＥＥ１３９４ホストアダプタ
６０５  パソコン本体
ＤＥＣ１、ＤＥＣ２  デコーダ
ＥＮＣ１、ＥＮＣ２、ＥＮＣ２’  エンコーダ
９００  サーバ（受信側）
【図１】
0003786092.tif 000002
【図２】
0003786092.tif 000003
【図３】
0003786092.tif 000004
【図４】
0003786092.tif 000005
【図５】
0003786092.tif 000006
【図６】
0003786092.tif 000007
【図７】
0003786092.tif 000008
【図８】
0003786092.tif 000009
【図９】
0003786092.tif 000010
【図１０】
0003786092.tif 000011
【図１１】
0003786092.tif 000012
【図１２】
0003786092.tif 000013
【図１３】
0003786092.tif 000014
【図１４】
0003786092.tif 000015
【図１５】
0003786092.tif 000016
【図１６】
0003786092.tif 000017
【図１７】
0003786092.tif 000018
【図１８】
0003786092.tif 000019
【図１９】
0003786092.tif 000020
【図２０】
0003786092.tif 000021
【図２１】
0003786092.tif 000022